(57)【要約】      （修正有）【課題】ピアノを演奏する為に必要な親指くぐりを円滑にするために親指の付け根をやわらかく保ち親指の第１、第２関節を曲げた形で動かすトレーニングをする事ができるピアノ練習具を提供する。【解決手段】親指とそれに対向する他の指でつまみながら回すことができるつまみ２を備えたピアノ練習具Ａであって、つまみ２の直径が親指の指先を内側に曲げた状態で他の指の指先との間に親指が挿入できる程度の幅とした。ピアノ練習具Ａが円筒体１を備え、円筒体１の中央部には、円筒体１を親指と他の指とによる回転によって巻き上がる紐３と重り４が取り付けられている。また、円筒体１にノック機構が組み込まれ、そのノック機構の先端ボタンがつまみ１部分の中心軸から飛び出て、ボタンを押すことにより、音が発するように構成されている。【選択図】図１
0003209666.tif 000002
【実用新案登録請求の範囲】
【請求項１】
親指とそれに対向する他の指でつまみながら回す事ができるつまみを備えたピアノ練習具であって、前記つまみの直径が親指の指先を内側に曲げた状態で他の指（人差指）の指先との間に親指が挿入できる程度の幅とした事を特徴とするピアノ練習具
【請求項２】
請求項１に記載のピアノ練習具が円筒体を備え、該円筒体の中央部には該円筒体を前記親指と他の指（人差指）とによる回転によって巻き上がる紐と重りが取り付けられているピアノ練習具
【請求項３】
請求項１に記載のつまみに、すべり止めの溝が付けられているピアノ練習具
【請求項４】
前記円筒体１にノック機構が組み込まれ、そのノック機構の先端ボタンが前記つまみ部分の中心軸から飛び出て、前記ボタンを押す事により、音が発する様に構成されている請求項２に記載のピアノ練習具
【請求項５】
前記円筒体にスリーブ状の円筒が回転自在に被せられ、前記円筒体には巻き上げられる紐と重りが取り入けられている請求項２に記載のピアノ練習具
【請求項６】
操作する人の手の大きさに合せた異なる直径の前記つまみが複数段に設けられている請求項１に記載のピアノ練習具
【考案の詳細な説明】
【技術分野】
【０００１】  ピアノを演奏する為に必要な、親指の動きを円滑にする為の練習具に関する。
【背景技術】
【０００２】  従来のピアノ教具には、指先に重さを加えるものがある。
（図６フィンガーウェイツ）
【考案の概要】
【考案が解決しようとする課題】
【０００３】  鍵盤楽器であるピアノを自由に演奏するために、親指をそれに対向する他の指の下にくぐらせる技術が必要であり、その時親指の第１と第２関節が曲がった状態でその付け根がやわらかく保たれていないと、長い時間や速い音型の演奏に支障をきたす。
【課題を解決するための手段】
【０００４】  本考案に係るピアノ練習具は、図１に示すように、親指とそれに対向する他の指（人差指）でつまむ事ができる、つまみ２を備えたもので、前記つまみ２の直径が、親指の指先を内側に曲げた状態で他の指（人差指）との間に親指が挿入できる程度の幅とした事を特徴とするものである。
【考案の効果】
【０００５】  親指の付け根が第１、第２関節を曲げる事で柔軟に保つ事ができ、速く、長時間動かす事が可能になる。
【図面の簡単な説明】
【０００６】
【図１】  本考案の実施形態を示す図
【図２】  つまみ部分の形状に関する図
【図３】  本考案の他の実施形態を示す図
【図４】  円筒体及びつまみ部分の形状に関する図
【図５】  円筒体部分の他の形状に関する図
【図６】  従来のピアノ練習具の図
【考案を実施するための形態】
【０００７】  以下本考案を実施するための形態を図１〜５に基づいて説明する。本考案に係るピアノ練習具Ａは、図１に示すように、親指とそれに対向する他の指（人差指）でつまむ事ができるつまみ２を、円筒体１の両端に備えたもので、前記つまみ２の直径が親指の指先を内側に曲げた状態で他の指（人差指）の指先との間に親指が挿入できる程度の幅としたものである。
【０００８】  使用に際しては、図１で示す様に、中指程度の長さの円筒体１の両端のつまみ２を親指と他の指（人差指）でつまみこれを回転させて円筒体１の中央部に取り付けた紐３を巻き上げる。紐３を安定して巻き上げるために、その先端に重り４を取り付ける。
円筒体１の長さは中指程度。つまみ２は親指と他の指（人差指）との間に親指が挿入できる程度の直径を有する円盤とする。
【０００９】  他の実施例として図２の様につまみ２の部分にすべり止めの溝５を付けても良い。
【００１０】  さらに図３に示す様に、円筒体１の軸にボールペンのノック機構６を組み込み、その円筒体１を縦に持ち親指で、ボタン７を押してカチカチ音を鳴らし親指に上下運動をさせても良い。
【００１１】  図４に示すものは、図１の円筒体１の表面に、ネジ山８を形成し  その円筒体１にスリーブ状の円筒９を回転自在に被せた物である。使用に際しては両端のつまみ２を指先ではさんで回す。すると紐３がネジれ８に巻かれる。この時回転する円筒体１に対し、スリーブ状の円筒９は回転せずに円筒９の一部に形成された穴９ａから吊り下げられた紐３を巻き上げる。又図４のつまみ２には直径の異なる３段階の段差を設けている。これにより手の大きさに合ったつまみ２をつまんで回す事ができる。
【００１２】図５に示す物は、図４の円筒９に代えてヨーヨーの様な紐３を巻き上げる駒１０を円筒体１に取り付けた物である。これによりヨーヨーとして遊ぶ事ができる。
【符合の説明】
【００１３】Ａ    ピアノ練習具
１    円筒体
２    つまみ
３    紐
４    重り
５    溝
６    ノック機構
７    先端ボタン
８    ネジ山
９    円筒
９ａ  穴
１０  駒
【図１】
0003209666.tif 000003
【図２】
0003209666.tif 000004
【図３】
0003209666.tif 000005
【図４】
0003209666.tif 000006
【図５】
0003209666.tif 000007
【図６】
0003209666.tif 000008
【手続補正書】
【提出日】平成29年1月13日(2017.1.13)
【手続補正１】
【補正対象書類名】実用新案登録請求の範囲
【補正対象項目名】全文
【補正方法】変更
【補正の内容】
【実用新案登録請求の範囲】
【請求項１】
親指とそれに対向する他の指でつまみながら回すことができるつまみを備えたピアノ練習具であって、前記つまみの直径が親指の指先を内側に曲げた状態で他の指の指先との間に親指が挿入できる程度の幅としたことを特徴とするピアノ練習具。
【請求項２】
請求項１に記載のピアノ練習具が円筒体を備え、該円筒体の中央部には、該円筒体を前記親指と他の指とによる回転によって巻き上がる紐と重りが取り付けられているピアノ練習具。
【請求項３】
前記つまみに、すべり止めの溝が付けられている、請求項１に記載のピアノ練習具。
【請求項４】
前記円筒体にノック機構が組み込まれ、そのノック機構の先端ボタンが前記つまみ部分の中心軸から飛び出て、前記ボタンを押すことにより、音が発するように構成されている請求項２に記載のピアノ練習具。
【請求項５】
前記円筒体にスリーブ状の円筒が回転自在に被せられ、前記円筒体には、巻き上げられる紐と重りが取り付けられている請求項２に記載のピアノ練習具。
【請求項６】
操作する人の手の大きさに合せた異なる直径の前記つまみが複数段に設けられている請求項１に記載のピアノ練習具。